(57)【要約】【課題】操作部にディスプレイ部が重ねられた形態であっても当該操作部による操作を可能とし、ひいては、ユーザの利便性の向上、及び、表示装置の小型化を可能とする技術を提供する。【解決手段】本発明の表示装置は、操作部と、背景を透過可能な表示パネル、及び、表示パネルの表面と裏面の少なくとも一方に設けられたタッチセンサを有する透明ディスプレイ部と、を有する表示装置であって、表示装置は、操作部に透明ディスプレイ部が重ねられていない第１形態と、タッチセンサが操作部側とは反対の側に位置するように、操作部に透明ディスプレイ部が重ねられた第２形態と、をとることができ、表示装置の形態が第１形態であるか第２形態であるかを検出する検出手段と、検出手段で表示装置の形態が第２形態であることが検出されているときに、タッチセンサにより操作部を疑似的に操作可能とする制御手段と、を有する。【選択図】図１
2013238930.tif 000002
【特許請求の範囲】
【請求項１】
操作部と、
背景を透過可能な表示パネル、及び、前記表示パネルの表面と裏面の少なくとも一方に設けられたタッチセンサを有する透明ディスプレイ部と、
を有する表示装置であって、
前記表示装置は、前記操作部に前記透明ディスプレイ部が重ねられていない第１形態と、前記タッチセンサが前記操作部側とは反対の側に位置するように、前記操作部に前記透明ディスプレイ部が重ねられた第２形態と、をとることができ、
前記表示装置の形態が前記第１形態であるか前記第２形態であるかを検出する検出手段と、
前記検出手段で前記表示装置の形態が前記第２形態であることが検出されているときに、前記タッチセンサにより前記操作部を疑似的に操作可能とする制御手段と、
を有することを特徴とする表示装置。
【請求項２】
前記制御手段は、前記検出手段で前記表示装置の形態が前記第２形態であることが検出されているときに前記タッチセンサが操作された場合に、その操作位置にある操作部が操作されたときと同じ処理を行う
ことを特徴とする請求項１に記載の表示装置。
【請求項３】
前記検出手段で前記表示装置の形態が前記第２形態であることが検出されているときに前記タッチセンサを用いてできる操作の数は、前記操作部を用いてできる操作の数よりも多い
ことを特徴とする請求項１または２に記載の表示装置。
【請求項４】
前記検出手段で前記表示装置の形態が前記第２形態であることが検出されているときに、前記タッチセンサにより前記操作部が疑似的に操作可能であることをユーザに通知する通知手段を更に有する
ことを特徴とする請求項１〜３のいずれか１項に記載の表示装置。
【請求項５】
前記通知手段は、前記検出手段で前記表示装置の形態が前記第２形態であることが検出されているときであって、且つ、ユーザが前記タッチセンサを操作したときに、前記タッチセンサにより前記操作部が疑似的に操作可能であることをユーザに通知する
ことを特徴とする請求項４に記載の表示装置。
【請求項６】
前記検出手段で前記表示装置の形態が前記第２形態であることが検出されているときに、前記表示パネルにおいて画像が表示される領域を、前記操作部と重ならないように制御する領域制御手段を更に有する
ことを特徴とする請求項１〜５のいずれか１項に記載の表示装置。
【請求項７】
前記表示装置の形態が前記第１形態のときと、前記表示装置の形態が前記第２形態のときとでユーザが見る画像の向きが変わらないように、画像に反転処理を施す反転手段を更に有する
ことを特徴とする請求項１〜６のいずれか１項に記載の表示装置。
【請求項８】
操作部と、
背景を透過可能な表示パネル、及び、前記表示パネルの表面と裏面の少なくとも一方に設けられたタッチセンサを有する透明ディスプレイ部と、
を有する表示装置の制御方法であって、
前記表示装置は、前記操作部に前記透明ディスプレイ部が重ねられていない第１形態と
、前記タッチセンサが前記操作部側とは反対の側に位置するように、前記操作部に前記透明ディスプレイ部が重ねられた第２形態と、をとることができ、
前記表示装置の制御方法は、
前記表示装置の形態が前記第１形態であるか前記第２形態であるかを検出する検出ステップと、
前記検出ステップで前記表示装置の形態が前記第２形態であることが検出されているときに、前記タッチセンサにより前記操作部を疑似的に操作可能とする制御ステップと、
を有することを特徴とする表示装置の制御方法。
【請求項９】
前記制御ステップでは、前記検出ステップで前記表示装置の形態が前記第２形態であることが検出されているときに前記タッチセンサが操作された場合に、その操作位置にある操作部が操作されたときと同じ処理を行う
ことを特徴とする請求項８に記載の表示装置の制御方法。
【請求項１０】
前記検出ステップで前記表示装置の形態が前記第２形態であることが検出されているときに前記タッチセンサを用いてできる操作の数は、前記操作部を用いてできる操作の数よりも多い
ことを特徴とする請求項８または９に記載の表示装置の制御方法。
【請求項１１】
前記検出ステップで前記表示装置の形態が前記第２形態であることが検出されているときに、前記タッチセンサにより前記操作部が疑似的に操作可能であることをユーザに通知する通知ステップを更に有する
ことを特徴とする請求項８〜１０のいずれか１項に記載の表示装置の制御方法。
【請求項１２】
前記通知ステップでは、前記検出ステップで前記表示装置の形態が前記第２形態であることが検出されているときであって、且つ、ユーザが前記タッチセンサを操作したときに、前記タッチセンサにより前記操作部が疑似的に操作可能であることをユーザに通知することを特徴とする請求項１１に記載の表示装置の制御方法。
【請求項１３】
前記検出ステップで前記表示装置の形態が前記第２形態であることが検出されているときに、前記表示パネルにおいて画像が表示される領域を、前記操作部と重ならないように制御する領域制御ステップを更に有する
ことを特徴とする請求項８〜１２のいずれか１項に記載の表示装置の制御方法。
【請求項１４】
前記表示装置の形態が前記第１形態のときと、前記表示装置の形態が前記第２形態のときとでユーザが見る画像の向きが変わらないように、画像に反転処理を施す反転ステップを更に有する
ことを特徴とする請求項８〜１３のいずれか１項に記載の表示装置の制御方法。
【発明の詳細な説明】
【技術分野】
【０００１】
本発明は、表示装置及びその制御方法に関する。
【背景技術】
【０００２】
モバイル端末（携帯電話、カムコーダ、デジタルカメラ等）には、折り畳み可能なモバイル端末がある。例えば、本体部と、本体部が有する操作部（ＵＩ（Ｕｓｅｒ  Ｉｎｔｅｒｆａｃｅ）部；ボタン、スイッチ等）に重なるように回動可能なディスプレイ部とを有するモバイル端末がある。以後、モバイル端末の形態のうち、本体部にディスプレイ部が重ねられた形態（即ち、折り畳まれた形態）を“閉形態”とよび、本体部にディスプレイ部が重ねられていない形態（即ち、折り畳まれていない形態）を“開形態”とよぶ。閉形態では、本体部が有する操作部の一部または全部にディスプレイ部が重ねられる。即ち、閉形態では、操作部の一部または全部がディスプレイ部に隠れる。従来、閉形態では、ディスプレイ部に隠れた操作部を操作することができなかった（閉形態でディスプレイ部に隠れる操作部は、開形態でしか操作できなかった）。そのため、ユーザの利便性が低下していた。閉形態でディスプレイ部に隠れる操作部を、開形態でしかしないものに限定すれば、ユーザの利便性の低下を抑制することができる。しかしながら、そのような設計（操作部の配置）の制約は、小型化が進むモバイル端末にとって大きなデメリットとなる。
【０００３】
また、ディスプレイ部には、ガラス基板などの透明部材上に透明電極を配置した透明ディスプレイ部がある。透明ディスプレイ部では、透明ディスプレイ部に表示された画像と、透明ディスプレイ部の背景（透明ディスプレイ部の裏側に存在する物体）とを同時に視認することができる。
透明ディスプレイ部に関する技術は、例えば、特許文献１に開示されている。
具体的には、特許文献１には、非透明ディスプレイ部（透明ディスプレイ部ではないディスプレイ部）と、非透明ディスプレイ部に重なるように回動可能な透明ディスプレイ部とを有するモバイル端末が開示されている。特許文献１に開示のモバイル端末では、非透明ディスプレイ部に透明ディスプレイ部が重ねられた形態において、非透明ディスプレイ部に表示された画像と、透明ディスプレイ部に表示された画像とにより、３次元画像が構成される。
【０００４】
上述したモバイル端末（本体部とディスプレイ部を有するモバイル端末）のディスプレイ部として、透明ディスプレイ部を用いれば、閉形態においてディスプレイ部が重ねられた操作部を、ディスプレイ部の画面を透して視認することが可能となる。しかしながら、そのような構成であっても、閉形態では、ディスプレイ部が重ねられた操作部を操作することはできない。
【先行技術文献】
【特許文献】
【０００５】
【特許文献１】特開２００４−１６３５８７号公報
【発明の概要】
【発明が解決しようとする課題】
【０００６】
本発明は、操作部にディスプレイ部が重ねられた形態であっても当該操作部による操作を可能とし、ひいては、ユーザの利便性の向上、及び、表示装置の小型化を可能とする技術を提供することを目的とする。
【課題を解決するための手段】
【０００７】
本発明の表示装置は、
操作部と、
背景を透過可能な表示パネル、及び、前記表示パネルの表面と裏面の少なくとも一方に設けられたタッチセンサを有する透明ディスプレイ部と、
を有する表示装置であって、
前記表示装置は、前記操作部に前記透明ディスプレイ部が重ねられていない第１形態と、前記タッチセンサが前記操作部側とは反対の側に位置するように、前記操作部に前記透明ディスプレイ部が重ねられた第２形態と、をとることができ、
前記表示装置の形態が前記第１形態であるか前記第２形態であるかを検出する検出手段と、
前記検出手段で前記表示装置の形態が前記第２形態であることが検出されているときに、前記タッチセンサにより前記操作部を疑似的に操作可能とする制御手段と、
を有することを特徴とする。
【０００８】
本発明の表示装置の制御方法は、
操作部と、
背景を透過可能な表示パネル、及び、前記表示パネルの表面と裏面の少なくとも一方に設けられたタッチセンサを有する透明ディスプレイ部と、
を有する表示装置の制御方法であって、
前記表示装置は、前記操作部に前記透明ディスプレイ部が重ねられていない第１形態と、前記タッチセンサが前記操作部側とは反対の側に位置するように、前記操作部に前記透明ディスプレイ部が重ねられた第２形態と、をとることができ、
前記表示装置の制御方法は、
前記表示装置の形態が前記第１形態であるか前記第２形態であるかを検出する検出ステップと、
前記検出ステップで前記表示装置の形態が前記第２形態であることが検出されているときに、前記タッチセンサにより前記操作部を疑似的に操作可能とする制御ステップと、
を有することを特徴とする。
【発明の効果】
【０００９】
本発明によれば、操作部にディスプレイ部が重ねられた形態であっても当該操作部による操作が可能となり、ひいては、ユーザの利便性の向上、及び、表示装置の小型化が可能となる。
【図面の簡単な説明】
【００１０】
【図１】実施例１に係る表示装置の機能構成の一例を示すブロック図
【図２】表示装置の形態および表示領域の一例を示す図
【図３】表示装置の形態の切り替え方法の一例を示す図
【図４】表示装置の形態の切り替え方法の一例を示す図
【図５】表示装置の形態の切り替え方法の一例を示す図
【図６】表示装置の形態の切り替え方法の一例を示す図
【図７】実施例１に係る表示装置の処理フローの一例を示すフローチャート
【図８】実施例２に係る表示装置の機能構成の一例を示すブロック図
【図９】実施例２に係る表示装置の操作および動作の一例を示す図
【発明を実施するための形態】
【００１１】
＜実施例１＞
以下、本発明の実施例１に係る表示装置及びその制御方法について、図面を用いて説明する。
図１は、本実施例に係る表示装置の機能構成の一例を示すブロック図である。
表示装置１０１は、本体部１０２と透明ディスプレイ部１０３を有する。図２に示すように、表示装置１０１の形態には、本体部１０２が有するＵＩ（Ｕｓｅｒ  Ｉｎｔｅｒｆａｃｅ）部１０４に透明ディスプレイ部１０３が重ねられていない形態（第１形態）と、ＵＩ部１０４に透明ディスプレイ部１０３が重ねられた形態（第２形態）とがある。透明ディスプレイ部１０３が回転やスライドすることにより、表示装置１０１の形態は、第１形態と第２形態の間で切り替えられる。なお、透明ディスプレイ部１０３は、本体部１０２に対して着脱可能であってもよい。そして、透明ディスプレイ部１０３が本体部１０２に取り付けられたときに表示装置１０１の形態が第２形態となり、透明ディスプレイ部１０３が本体部１０２から取り外されたときに表示装置１０１の形態が第１形態となってもよい。図２は、透明ディスプレイ部１０３が回転することにより表示装置１０１の形態が切り替えられる場合の例であり、透明ディスプレイ部１０３の回転軸方向が、表示装置１０１の左右方向と平行な方向である場合の例である。
【００１２】
本体部１０２は、ＵＩ部１０４、形態検出部１０５、入力制御部１０６、処理部１０７、画像出力部１０８、照明部１０９などを有する。
透明ディスプレイ部１０３は、透明パネル１１０、タッチセンサ１１１などを有する。
【００１３】
透明パネル１１０は、本体部１０２の画像出力部１０８から出力された画像を表示する表示パネルである。また、透明パネル１１０は、透明部材で構成されており、背景を透過可能であるという特徴を有する。そのため、ユーザが透明パネル１１０の表面側から画像を見たときには、ユーザは、透明パネル１１０の裏面側にある物体を視認することができる。
【００１４】
タッチセンサ１１１は、ユーザの操作を受け付け、その操作内容を表す操作情報を本体部１０２の入力制御部１０６に出力する。本実施例では、タッチセンサ１１１は、透明パネル１１０の表面と裏面の一方にのみ設けられている。具体的には、タッチセンサ１１１は、表示装置１０１の形態が第２形態のときに、ＵＩ部１０４側（操作部側）とは反対の側に位置するように設けられている。換言すれば、タッチセンサ１１１は、透明パネル１１０の表面と裏面のうち、第２形態においてユーザが見る側の面に設けられている。ここで、第１形態においてユーザが見る側の面を表面とする。図３，４に示すように、透明ディスプレイ部１０３が画面と平行な方向を軸として回転することにより表示装置１０１の形態が切り替えられる構成の場合には、第２形態において、表面がＵＩ部１０４と対向する（ユーザが見る側の面は裏面となる）。そのため、タッチセンサ１１１は透明パネル１１０の裏面に設けられる。図３は、透明ディスプレイ部１０３の回転軸方向が、表示装置１０１の左右方向と平行な方向である場合の例であり、図４は、透明ディスプレイ部１０３の回転軸方向が、表示装置１０１の上下方向と平行な方向である場合の例である。図５に示すように、透明ディスプレイ部１０３がスライドすることにより表示装置１０１の形態が切り替えられる構成の場合には、第２形態において、裏面がＵＩ部１０４と対向する（ユーザが見る側の面は表面となる）。図６に示すように、透明ディスプレイ部１０３が画面と垂直な方向を軸として回転することにより表示装置１０１の形態が切り替えられる構成の場合にも、第２形態において、裏面がＵＩ部１０４と対向する（ユーザが見る側の面は表面となる）。そのため、図５，６に示すような構成の場合には、タッチセンサ１１１は、透明パネル１１０の表面に設けられる。
なお、タッチセンサ１１１は、透明パネル１１０の表面と裏面の両方に設けられていてもよい。
【００１５】
ＵＩ部１０４は、ユーザが操作するインタフェース（操作部）である。ＵＩ部１０４は、例えば、操作ボタン、スイッチ、キーボード、タッチセンサなどである。ユーザがＵＩ部１０４を操作すると、ＵＩ部１０４は、その操作内容を表す操作情報を入力制御部１０６に出力する。
【００１６】
形態検出部１０５は、表示装置１０１の形態が第１形態であるか第２形態であるかを検出する。表示装置１０１の形態の検出方法は、どのような方法であってもよい。例えば、第１形態と第２形態のいずれか一方の形態のときにのみ押下されるスイッチの状態に応じて表示装置１０１の形態が判断されてもよい。第１形態と第２形態のいずれか一方の形態のときにのみ通電される回路の通電状態に応じて表示装置１０１の形態が判断されてもよい。形態検出部１０５は、表示装置１０１の形態の検出結果を、形態情報として入力制御部１０６と画像出力部１０８に出力する。
【００１７】
入力制御部１０６は、形態検出部１０５から入力された形態情報に応じて、ＵＩ部１０４とタッチセンサ１１１のいずれかを選択する。具体的には、入力制御部１０６は、表示装置１０１の形態が第１形態である場合にＵＩ部１０４を選択し、表示装置１０１の形態が第２形態である場合にタッチセンサ１１１を選択する。そして、入力制御部１０６は、選択された機能部（ＵＩ部１０４またはタッチセンサ１１１）から入力された操作情報を、処理部１０７に出力する。
また、入力制御部１０６は、第２形態においてタッチセンサ１１１の操作が行われた場合に、照明部１０９に点灯信号を出力する。
【００１８】
処理部１０７は、入力制御部１０６から入力された操作情報に応じた演算処理を行い、処理結果を、表示情報として画像出力部１０８に出力する。処理部１０７は、表示装置１０１の形態が第２形態のときに、タッチセンサ１１１によりＵＩ部１０４を疑似的に操作可能とする。具体的には、処理部１０７は、表示装置１０１の形態が第２形態のときにタッチセンサ１１１が操作された場合に、その操作位置にあるＵＩ部１０４が操作されたときと同じ処理（演算処理）を行う。例えば、タッチセンサ１１１が出力する操作情報に操作位置の情報が含まれており、処理部１０７は、操作情報に含まれる操作位置に対応するＵＩ部１０４が操作されたときと同じ演算処理を行う。なお、表示装置１０１の形態が第２形態のときにタッチセンサ１１１が操作された場合に、その操作位置にあるＵＩ部１０４が操作されたときにＵＩ部１０４が出力する操作情報と同じ操作情報が、タッチセンサ１１１から出力されてもよい。
【００１９】
画像出力部１０８は、処理部から入力された表示情報を画像（文字、グラフィックス、アイコン、静止画、動画等）に変換して透明ディスプレイ部１０３（透明パネル１１０）に出力する。
【００２０】
画像出力部１０８において、形態検出部１０５から入力された形態情報をもとに、透明パネル１１０において画像が表示される領域（表示領域）が制御されてもよい（領域制御）。例えば、図２に示すように、第１形態では画面の全領域が表示領域とされ、第２形態では画面の領域の一部（ＵＩ部１０４と重ならない領域）が表示領域とされてもよい。第２形態においてＵＩ部１０４と重ならないように表示領域を制御することにより、透明パネル１１０に表示された画像によってＵＩ部１０４の視認が邪魔されることを抑制することができる。
【００２１】
透明ディスプレイ部１０３が回転することにより表示装置１０１の形態が切り替えられる構成（図３，４，６に示すような構成）の場合には、第１形態のときと第２形態のときとで、透明ディスプレイ部１０３の向き（上下左右方向）が異なる。そのため、画像出力部１０８から出力される画像の向きが一定であると、第１形態のときと第２形態のときとで、ユーザが見る画像の向きが変わってしまう。
そのため、画像出力部１０８において、表示装置１０１の形態が第１形態のときと、表示装置１０１の形態が第２形態のときとで、ユーザが見る画像の向きが変わらないように、画像に反転処理を施すことが好ましい（反転制御）。例えば、図３の構成の場合には、
画像の上下を反転する上下反転処理を行えばよい。図４の構成の場合には、画像の左右を反転する左右反転処理を行えばよい。図６の構成の場合には、画像の上下及び左右を反転する上下左右反転処理を行えばよい。図５の構成の場合には、第１形態のときと第２形態のときとで透明ディスプレイ部１０３の向きが同じであるため、反転処理は行わなくてよい。
なお、１つの表示装置が形態を変更するための動作を複数有する場合には、第２形態となったときの動作を判断し、判断結果に応じた反転処理を行えばよい。例えば、１つの表示装置が図３〜６に示す動作をすることができる場合には、図３〜６に示す動作のうちのどの動作によって表示装置の形態が第２形態になったのかを判断し、判断結果に応じた反転処理を行えばよい。
なお、上記例では、第１形態を起点に、第２形態において画像に反転処理を施す場合について説明したが、第２形態を起点に、第１形態において画像に反転処理が施されてもよい。
上述した反転制御により、表示される画像の向きを常に一定に保つことができる。
【００２２】
なお、上述した領域制御と反転制御は、画像出力部１０８とは別の機能部により行われてもよい。例えば、図１に示す機能部の他に、領域制御を行う領域制御部と、反転制御を行う反転制御部とが更に設けられていてもよい。
【００２３】
照明部１０９は、第２形態において、タッチセンサ１１１によりＵＩ部１０４が疑似的に操作可能であることをユーザに通知する。具体的には、照明部１０９は、入力制御部１０６からの点灯信号の入力に応じて点灯する。即ち、照明部１０９は、第２形態においてユーザがタッチセンサ１１１を操作した場合に点灯する。ユーザは、照明部１０９が点灯したことにより、ＵＩ部１０４が疑似的に操作可能であると判断することができる。
なお、照明部１０９は、ＵＩ部１０４の位置と同じ位置（ＵＩ部１０４が点灯しているように見える位置）に設けられていてもよいし、ＵＩ部１０４の位置とは異なる位置に設けられていてもよい。
なお、本実施例では、点灯によって、ＵＩ部１０４が疑似的に操作可能であることがユーザに通知される構成としたが、これに限らない。例えば、消灯によって、ＵＩ部１０４が疑似的に操作可能であることがユーザに通知されてもよい。音声、振動、画像などにより、ＵＩ部１０４が疑似的に操作可能であることがユーザに通知されてもよい。画像は、例えば、ＵＩ部１０４が疑似的に操作可能であることを示すグラフィックス、テキスト、アイコンなどである。
また、本実施例では、表示装置１０１の形態が第２形態のときであって、且つ、ユーザがタッチセンサ１１１を操作したときに、ＵＩ部１０４が疑似的に操作可能であることがユーザに通知される構成としたが、これに限らない。第２形態になったタイミングでＵＩ部１０４が疑似的に操作可能であることが通知されてもよいし、第２形態の全期間においてＵＩ部１０４が疑似的に操作可能であることが通知されてもよい。
【００２４】
本実施例に係る表示装置１０１の処理フローについて、図７のフローチャートを用いて説明する。
Ｓ６０１において処理フローが開始されると、まず、Ｓ６０２において、形態検出部１０５が表示装置１０１の形態を検出する。
次に、表示装置１０１の形態が第１形態である場合には（Ｓ６０３：Ｙｅｓ）、Ｓ６０４に処理が進められ、表示装置１０１の形態が第２形態である場合には（Ｓ６０３：Ｎｏ）、Ｓ６０８に処理が進められる。
【００２５】
Ｓ６０４では、入力制御部１０６が、ＵＩ部１０４を選択する。
次に、Ｓ６０５において、照明部１０９が点灯する。それにより、ユーザにＵＩ部１０４が操作可能であることが通知される。
そして、Ｓ６０６において、表示装置１０１は、ＵＩ部１０４の操作があるまで待機する。
ＵＩ部１０４の操作が一定時間無かった場合には（Ｓ６０６：Ｎｏ）、Ｓ６０７において、照明部１０９が消灯する。その後、Ｓ６０２に処理が戻される。
ＵＩ部１０４の操作があった場合には（Ｓ６０６：Ｙｅｓ）、Ｓ６１３において、処理部１０７がＵＩ部１０４の操作に応じた演算処理を行い、画像出力部１０８が、演算処理結果から画像を生成する。その後、Ｓ６１４に処理が進められる。
【００２６】
Ｓ６０８では、入力制御部１０６が、タッチセンサ１１１を選択する。
次に、Ｓ６０９において、表示装置１０１は、タッチセンサ１１１の操作があるまで待機する。
タッチセンサ１１１の操作が一定時間無かった場合には（Ｓ６０９：Ｎｏ）、Ｓ６０２に処理が戻される。
タッチセンサ１１１の操作があった場合には（Ｓ６０９：Ｙｅｓ）、Ｓ６１０において、照明部１０９が点灯する。その後、Ｓ６１１に処理が進められる。
【００２７】
Ｓ６１１では、表示装置１０１が、タッチセンサ１１１の操作があるまで待機する。
タッチセンサ１１１の操作が一定時間無かった場合には（Ｓ６１１：Ｎｏ）、Ｓ６１２において、照明部１０９が消灯する。その後、Ｓ６０２に処理が戻される。
タッチセンサ１１１の操作があった場合には（Ｓ６１１：Ｙｅｓ）、Ｓ６１３において、処理部１０７が、操作位置にあるＵＩ部を操作したときと同じ演算処理を行い、画像出力部１０８が、演算処理結果から画像を生成する。その後、Ｓ６１４に処理が進められる。
【００２８】
Ｓ６１３の次に、反転処理が必要な場合には（Ｓ６１４：Ｙｅｓ）、Ｓ６１５において、画像出力部１０８が、Ｓ６１３で生成された画像に対して反転処理を施し、反転処理が施された画像を透明パネル１１０に出力する。その後、Ｓ６１６に処理が進められる。反転処理が必要ない場合には（Ｓ６１４：Ｎｏ）、画像出力部１０８が、Ｓ６１３で生成された画像を透明パネル１１０に出力する。その後、Ｓ６１６に処理が進められる。
Ｓ６１６では、透明パネル１１０が、画像出力部１０８から出力された画像を透明パネル１１０に表示する。
そして、Ｓ６１７において処理フローが終了される。
【００２９】
以上述べたように、本実施例によれば、表示装置１０１の形態が第２形態のときに、ＵＩ部１０４が疑似的に操作可能となるように、タッチセンサ１１１が制御される。それにより、ＵＩ部１０４に透明ディスプレイ部１０３が重ねられた形態であっても、タッチセンサ１１１を操作して、当該ＵＩ部１０４による操作が可能となる。その結果、ユーザの利便性の向上、及び、表示装置の小型化が可能となる。
【００３０】
なお、本実施例では、第１形態のときにタッチセンサ１１１を操作不能とする構成について説明したが、タッチセンサ１１１は第２形態か第１形態かに拘わらず操作可能であってもよい。例えば、タッチセンサ１１１は、ＵＩ部１０４を疑似的に操作するための第２操作モードと、第２操作モードとは異なる第１操作モードとを有していてもよい。そして、第１形態のときに操作モードが第１操作モードとされ、第２形態のときに操作モードが第２操作モードとされてもよい。
なお、本体部が有する機能部のうち、ＵＩ部以外の機能部は、透明ディスプレイ部に設けられていてもよい。
【００３１】
＜実施例２＞
以下、本発明の実施例２に係る表示装置及びその制御方法について説明する。
実施例１では、第２形態のときにタッチセンサ１１１を操作することにより、ＵＩ部１０４を疑似的に操作できる構成について説明した。
実施例２では、第２形態のときにタッチセンサ１１１を操作することにより、ＵＩ部１０４を用いてできる操作以外の操作ができる構成について説明する。即ち、本実施例では、第２形態のときにタッチセンサ１１１を用いてできる操作の数が、ＵＩ部１０４を用いてできる操作の数よりも多い場合の例について説明する。
【００３２】
図８は、本実施例に係る表示装置１０１の機能構成の一例を示すブロック図である。本実施例に係る表示装置１０１は、実施例１で述べた機能部（図１の機能部）の他に、機能拡張部７０１を有する。なお、機能拡張部７０１以外の機能部は、実施例１（図１）と同様のため、同じ符号を付し、その説明は省略する。
機能拡張部７０１は、形態検出部１０５から入力される形態情報が第２形態を示す場合に、タッチセンサ１１１を用いてできる操作を表す拡張操作情報を生成し、処理部１０７に出力する。第２形態のときに、処理部１０７では、タッチセンサ１１１からの操作情報と、機能拡張部７０１からの拡張操作情報とに基づいて表示情報が生成され、画像出力部１０８に出力される。
【００３３】
例えば、タッチセンサを用いた操作には、タップ操作やフリック操作などがある。タップ操作は、例えば、タッチセンサを短時間（一瞬）だけ触れる操作である。フリック操作は、例えば、タッチセンサを指ではじく操作、タッチセンサに触れた状態で指をスライドさせる操作などである。
本実施例では、ＵＩ部１０４がボタンであり、ＵＩ部１０４の操作がボタンを押下する操作である。そして、第２形態のときに、ユーザは、タッチセンサ１１１をタップ操作することにより、ＵＩ部１０４のボタンを押下する操作を疑似的に行うことができる。
本実施例では、更に、第２形態のときに、図９（ａ）に示すようなフリック操作を行うこともできる。本実施例では、フリック操作が行われたことに応じて、拡張操作情報が生成される。その結果、図９（ｂ）に示すように、ＵＩ部１０４のボタンの押下に対応するタッチ操作以外の操作を示すＧＵＩ（Ｇｒａｐｈｉｃａｌ  Ｕｓｅｒ  Ｉｎｔｅｒｆａｃｅ）画像が表示される。ユーザは、ＧＵＩ画像を操作することにより、ＵＩ部１０４のボタンの押下に対応するタッチ操作以外の操作を行うことができる。例えば、処理部１０７は、拡張操作情報の入力に応じて、ＵＩ部１０４の疑似的な操作を無効とし、ＧＵＩ画像の操作が有効となるように、タッチセンサ１１１からの操作情報（タップ操作が行われた位置（タッチ位置））と、処理内容との対応関係を切り替える。それにより、ＧＵＩ画像の操作が可能となる。
【００３４】
以上述べたように、本実施例によれば、第２形態のときにタッチセンサ１１１を操作することにより、ＵＩ部１０４を用いてできる操作以外の操作ができる。それにより、実施例１よりもユーザの利便性を向上することができる。
なお、本実施例では、フリック操作によりＵＩ部１０４の疑似的な操作以外の操作の数が増やされる（タッチセンサ１１１を用いてできる操作が拡張される）構成について説明したが、この構成に限らない。例えば、第２形態となったことに応じて、ＵＩ部１０４の領域以外の領域に、ＵＩ部１０４の疑似的な操作以外の操作を示すＧＵＩ画像（ユーザが操作可能なＧＵＩ画像）が表示されてもよい。
【符号の説明】
【００３５】
１０１：表示装置  １０２：本体部  １０３：透明ディスプレイ部  １０４：ＵＩ部
１０５：形態検出部  １０７：処理部  １１０：透明パネル  １１１：タッチセンサ
【図１】
2013238930.tif 000003
【図２】
2013238930.tif 000004
【図３】
2013238930.tif 000005
【図４】
2013238930.tif 000006
【図５】
2013238930.tif 000007
【図６】
2013238930.tif 000008
【図７】
2013238930.tif 000009
【図８】
2013238930.tif 000010
【図９】
2013238930.tif 000011